(57)【要約】【課題】椅子の交換作業を施行する上でアンカーボルトの取り外し作業や取り付け作業無くして椅子の交換作業を行うことができる技術を提供すること。【解決手段】設置面に固定されるベースシャフト３０５に嵌合される第１の嵌合部１０４ｂと、椅子の座部を支持する支持シャフト４０６と嵌合し、前記第１の嵌合部１０４ｂの反対側に位置する第２の嵌合部１０２と、この第２の嵌合部１０２及び前記第１の嵌合部１０４ｂを接続する接続部１０４ａと、を備えるジョイントアダプタ１００、を有する椅子であって、前記ジョイントアダプター１００は、前記ベースシャフト３０５及び前記支持シャフト４０６に対して着脱自在であることを特徴とする。【選択図】図１
2013099460.tif 000002
【特許請求の範囲】
【請求項１】
設置面に固定されるベースシャフトと、
このベースシャフトに対し、着脱自在に嵌合されるジョイントアダプターと、
このジョイントアダプターに対して着脱自在に取り付けられるとともに、先端に座部が取り付けられる支持シャフトとを備えたスタンド式の椅子。
【請求項２】
設置面に固定されるベースシャフトに嵌合される第１の嵌合部と、
椅子の座部を支持する支持シャフトと嵌合し、前記第１の嵌合部の反対側に位置する第２の嵌合部と、
この第２の嵌合部及び前記第１の嵌合部を接続する接続部と、
を備えるジョイントアダプター、を有する椅子であって、
前記ジョイントアダプターは、前記ベースシャフト及び前記支持シャフトに対して着脱自在であることを特徴とするスタンド式の椅子。
【請求項３】
設置面に取り付けられるスタンド式の椅子の取り換え方法であって、
前記設置面に固定されている既存のベースシャフトから当該ベースシャフトに組み付けられている部材を取り外すステップと、
当該部材が取り外された状態の前記ベースシャフトに連結具を組み込むステップと、
この連結具に座部を含む部材を組み付けるステップとを有するスタンド式の椅子の取り換え方法。
【請求項４】
設置面に固定されるベースシャフトに嵌合される第１の嵌合部と、
椅子の座部を支持する支持シャフトと嵌合し、前記第１の嵌合部の反対側に位置する第２の嵌合部と、
この第２の嵌合部及び前記第１の嵌合部を接続する接続部と、を備える、椅子の連結具。
【請求項５】
前記ベースシャフトは、上方に開口され、かつ内面にテーパが付けられた上部開口を有すると共に、この上部開口に嵌合される前記第１の嵌合部は、その外周面にテーパ部が形成されていることを特徴とする請求項４に記載の連結具。
【発明の詳細な説明】
【技術分野】
【０００１】
本発明は、スタンド式の椅子、スタンド式の椅子の取り換え方法及び連結具に関する。
【背景技術】
【０００２】
図９（ａ）を用いて、第１の従来例を説明する。飲食店や、遊技機の設置されているパーラーには、飲食中又は遊技中に使用者が着座するためのスタンド式の椅子が設置されている。図９（ａ）は、そのようなスタンド式の椅子から当該椅子の利用者が座る座部を省略して示す一例３００を示すものである。
【０００３】
当該図９（ａ）には、例えば両端が開口した円筒形部材３０１と、その下端に取り付けられて、放射状に張出す張り出しフランジ３０２が示されている。張り出しフランジ３０２は、複数（本明細書では２つ）のアンカーボルト３０３により設置面に固定される。これにより、椅子の使用者が着座しても、椅子が倒れないようになっている。また、張り出しフランジ３０２には、アンカーボルト３０３が通される複数の通し孔（図示せず）が穿孔されている。そして、前記張り出しフランジ３０２の中心箇所には、前記円筒形部材３０１が固定される。当該固定にあたり、張り出しフランジ３０２と前記円筒形部材３０１とは溶着され両者が一体化される。当該一体化されたものをベースシャフトといい符号３０５で示す。
【０００４】
ベースシャフト３０５のうち、前記円筒形部材３０１には、その上部開口３０１ａ（図６参照）には、スタンド式椅子の高さ寸法を定める円筒形状をしたオートリターンシャフト３０６が、幾分隙間嵌めの状態で内嵌されている。これによりオートリターンシャフト３０６が、円筒形部材３０１に対して回転自在な状態で一体化される。そして、スタンド式の椅子３００の座部に使用者が着座したままの状態で、使用者は座部と共に水平面内で時計回りに又は反時計回りに回転することができる。
【０００５】
当該回転をした後、座部が元の位置に自動的に戻れるようになっており、そのために、図示しないスプリング等の弾性部材が、オートリターンシャフト３０６に収納されている。当該弾性材の弾撥力が座部に作用すると、座部をこれに外力が掛かる前の位置に戻そうとする。
【０００６】
したがって、使用者が座部から少し立ち上がっただけで、弾性部材の弾撥力により、座部はその回転前の元の位置にまで戻される。また、オートリターンシャフト３０６は、その下端部が、既述のように、前記円筒形部材３０１に内嵌されている。オートリターンシャフト３０６の上端部には、前記座部を固定できるようにするための、オートリターンシャフト３０６よりも細い径の座部固定用シャフト３０７を備えている（図９（ａ）参照）。さらに、この座部固定用シャフト３０７には、図示しない座部が、例えば、パチンコ台に対して前後方向にスライド可能になるように取着されている。このような第１の従来例３００にあっては、下方から上方に向けて、ベースシャフト３０５−オートリターンシャフト３０６−座部固定用シャフト３０７の順でなる三段式の台座３０９を構築する。
【０００７】
一方、図９（ｂ）は、第２の従来例３００Ａを示す。第２の従来例３００Ａにあっても、第１の従来例３００の場合と同様、スタンド式の椅子から座部を省略したものを示す。また第２の従来例３００Ａは、ガス圧を利用して椅子の高さ寸法を使用者の好みの高さに定めるスタンド式の椅子に適用される。そして、第１の従来例と同様、三段式の台座３０９Ａを形成する。つまり、円筒形部材３０１Ａ及び張り出しフランジ３０２とからなるベースシャフト３０５Ａと、その上段の中間シャフト４０１と、最上段に位置するシャフト
であってかつ図示されない座部が取着される座部固定用シャフト４０４とを有する。また第２の従来例３００Ａに使用される座部においても、第１の従来例３００Ａと同様、例えば、パチンコ台に対して前後方向にスライド可能になるようになっている。なお、第２従来例にあっても、中間シャフト４０１に弾性材が組み込まれ、第１の従来例のオートリターンシャフト３０６と同様、水平面内で時計回りに又は反時計回りに回転する。そして、中間シャフト４０１と、座部固定用シャフト４０４とは一体化されている。当該一体化されたものを支持シャフトと呼称し、符号４０６で示す。
【０００８】
第２の従来例３００Ａが、第１の従来例３００と相違する点は、既述したガス圧を利用して椅子の高さ寸法を定めることができるようになっている以外に、シャフト各段の高さ寸法と太さにある。これは、第１の従来例３００に係るスタンド式の椅子では、ガス圧を利用して椅子の高さ寸法を使用者の好みの高さに定めるという方式を採用していないことに起因する。なお、使用者が、椅子に取り付けられている図示しない操作バーを操作することで、中間シャフト４０１が、ベースシャフト３０５Ａの円筒形部材３０１Ａ内を上下動する。このように中間シャフト４０１を上下動させることができるのは、ベースシャフト３０５Ａ内に注入されたガス圧を利用することに因る。なお、第２の従来例が第１の従来例と同等の箇所には同一符号を付して説明を省略する。
【０００９】
いずれの従来例の場合も、径大な部材（シャフト）に嵌合されていた径小な部材（シャフト）を引き抜くことで径大な部材から径小な部材を取り外すことが可能である。反対に両者を組み付ける場合は、径大な部材に径小な部材を差し込むことで行う。なお、径大な部材と径小な部材は一体成形したものでもよい。
【００１０】
また、いずれの従来例の場合も椅子を新しいものに取り替える場合は、ベースシャフト３０５、３０５Ａから、それらの上部に位置する部材（シャフト）を引き抜き、その後、アンカーボルト３０３を設置面から取り外すことで行う。反対に、ベースシャフト３０５、３０５Ａにそれらの上部に位置する部材（シャフト）を差し込む場合は、ベースシャフト３０５、３０５Ａをアンカーボルト３０３で締め付けてから行う。
【００１１】
ところで、このような第１の従来例３００に係るスタンド式の椅子及び第２の従来例３００Ａに係るスタンド式の椅子のいずれも経年劣化等の損傷やガス漏れ等に起因する故障によって、新しい部品に交換を必要とする場合がある。例えば、第１の従来例３００に係るスタンド式の椅子を第２の従来例３００Ａに係るガス圧による高さ調整可能なスタンド式の椅子に交換する場合、第１の従来例に係るベースシャフト３０５を含む構成部品の全てを第２の従来例３００Ａに係るスタンド式の椅子の構成部品の全てと交換しなければならなかった。これは、第１の従来例３００に係るスタンド式の椅子の構成部品と第２の従来例３００Ａに係るスタンド式の椅子の構成部品とでは寸法が相違するため、第１の従来例に係るスタンド式の椅子の構成部品を第２の従来例に係るスタンド式の椅子の構成部品と組み替えることができなかったためである。換言すれば部品の共通化を図ることが、両者の間で実行することができなかったためである。
【００１２】
したがって、従来においては、（１）椅子を交換するのに組み替え部品の費用が高額になる、（２）ベースシャフト３０５、３０５Ａの設置面からの取り換えを行うにあたりアンカーボルト３０３の取り換えに起因して設置面に損傷を生じる、（３）まだ使用できるものまで処分の対象となり無駄である、（４）スタンド式の椅子の取り付け及び取り外し作業を行う上で、アンカーボルトの取り付け及び取り外し作業（アンカーボルトの打ち直し作業）を要する等の問題があった。
【００１３】
そこで、スタンド式の椅子の交換作業を施行する上でアンカーボルトの取り外し作業や取り付け作業をせずともスタンド式の椅子の交換作業を行える技術が求められた。
【先行技術文献】
【特許文献】
【００１４】
【特許文献１】特表２００８−５７１１７７号公報
【特許文献２】特開平０９−１４０４８８号公報
【発明の概要】
【発明が解決しようとする課題】
【００１５】
本発明は、上記事情に鑑みてなされたものであり、椅子の交換作業を施行する上でアンカーボルトの取り外し作業や取り付け作業を無くして椅子の交換作業を行うことができる技術を提供することを技術的課題とする。
【課題を解決するための手段】
【００１６】
すなわち、本発明のスタンド式の椅子は、設置面に固定されるベースシャフトと、このベースシャフトに対し、着脱自在に嵌合されるジョイントアダプターと、このジョイントアダプターに対して着脱自在に取り付けられるとともに、先端に座部が取り付けられる支持シャフトとを備えたことを特徴とする。
【００１７】
また、本発明は、設置面に固定されるベースシャフトに嵌合される第１の嵌合部と、椅子の座部を支持する支持シャフトと嵌合し、前記第１の嵌合部の反対側に位置する第２の嵌合部と、この第２の嵌合部及び前記第１の嵌合部を接続する接続部と、を備えるジョイントアダプタ、を有する椅子であって、前記ジョイントアダプターは、前記ベースシャフト及び前記支持シャフトに対して着脱自在であることを特徴とするスタンド式の椅子である。
【００１８】
さらに本発明は、設置面に取り付けられるスタンド式の椅子の取り換え方法でもある。その特徴とするところは、設置面に取り付けられるスタンド式の椅子の取り換え方法であって、前記設置面に固定されている既存のベースシャフトから当該ベースシャフトに組み付けられている部材を取り外すステップと、当該部材が取り外された状態の前記ベースシャフトに連結具を組み込むステップと、この連結具に座部を含む部材を組み付けるステップとを有することにある。
【００１９】
そして本発明は連結具でもある。その特徴とする点は、設置面に固定されるベースシャフトに嵌合される第１の嵌合部と、椅子の座部を支持する支持シャフトと嵌合し、前記第１の嵌合部の反対側に位置する第２の嵌合部と、この第２の嵌合部及び前記第１の嵌合部を接続する接続部と、を備えることにある。
【００２０】
また、前記ベースシャフトは、上方に開口され、かつ内面にテーパが付けられた上部開口を有すると共に、この上部開口に嵌合される前記第１の嵌合部は、その外周面にテーパ部が形成されていることを特徴とする。
【発明の効果】
【００２１】
本発明は、椅子の交換作業を施行する上でアンカーボルトの取り外し作業や取り付け作業をしないでも椅子の交換作業を行うことができる。
【図面の簡単な説明】
【００２２】
【図１】本発明に係るスタンド式の椅子の全体斜視図である。
【図２】図１から座部を取り外した状態の正面図である。
【図３】ジョイントアダプターの正面図である。
【図４】ジョイントアダプターの平面図である。
【図５】ジョイントアダプターの底面図である。
【図６】スタンド式の椅子の取り換え手順を説明するための最初の図であり、図６（ａ）は交換前のスタンド式の椅子を示し、図６（ｂ）は、図６（ａ）の状態からベースシャフト以外の部材を取り払った直後の状態を示す図である。
【図７】図６に連続する図であって、図７（ａ）は、図６（ｂ）の状態からベースシャフトのみになった状態を示す図であり、図７（ｂ）は、ベースシャフトにジョイントアダプターを取り付ける直前の状態を示す図であり、図７（ｃ）は、ベースシャフトにジョイントアダプターを取り付けた状態を示す図である。
【図８】図８（ａ）は、図７（ｃ）に連続する図であって、ジョイントアダプターの上部開口に、新品の又は、使用済みであるがまだ使用することができる、中間シャフト及び座部固定用シャフトを組み合わせて一体化したものをその中間シャフト側が下方になるようにしてジョイントアダプターに内嵌しようとしている状態を示す図であり、図８（ｂ）は、図８（ａ）の状態から、ジョイントアダプターの上部開口に、新品の又は、使用済みであるがまだ使用することができる、中間シャフト及び座部固定用シャフトを組み合わせて一体化したものをジョイントアダプターに内嵌した状態を示す図である。
【図９】図９（ａ）は第１の従来例を示し、図９（ｂ）は第２の従来例を示す図である。
【発明を実施するための形態】
【００２３】
以下、この発明を実施するための形態（以下、実施形態）を実施例に基づいて例示的に説明する。ただし、この実施例に記載されている構成部品の寸法、材質、形状その相対配置などは、特に特定的に記載がない限りは、この発明の範囲をそれらに限定する趣旨ではない。
【００２４】
本願発明のスタンド式の椅子１は（図１参照）、当該椅子の基台となるベース部材としてのベースシャフト３０５と、このベースシャフト３０５の上位に位置するジョイントアダプター１００と、このジョイントアダプター１００よりも上位に位置する中間シャフト４０１と、中間シャフト４０１の上位に位置する座部固定用シャフト４０４と、座部固定用シャフト４０４に取着された座部１１とを備える。
【００２５】
以下これらの部材について詳述する。
ベースシャフト３０５は、少なくとも上端が開口した円筒形部材３０１の下端に取り付けられかつ放射状に張出す張り出しフランジ３０２を有する。そして、この張り出しフランジ３０２にアンカーボルト３０３を通すことで、設置面にベースシャフト３０５を固定する。
【００２６】
ジョイントアダプター１００は、前記ベースシャフト３０５における前記円筒形部材３０１の上部開口３０１ａ（図６、図７参照）に嵌合される嵌合部である。
また、中間シャフト４０１は、前記ジョイントアダプター１００にその上端側で嵌合される。
【００２７】
座部固定用シャフト４０４は、中間シャフト４０１と嵌合等によって一体に連結され、座部を取り除いた状態で最上段に位置する（図２参照）。そして、座部固定用シャフト４０４は、座部が、例えば、パーラーに設置されるパチンコ台に対して、前後方向にスライド可能になるように取着される部位である。
【００２８】
このような、スタンド式の椅子１は、これを第２の従来例と比較すると、その主たる違いは、ジョイントアダプター１００にある。よって、ジョイントアダプター１００及びそれに関連する事項について詳述し、同一箇所には同一符号を付して説明を省略する。
【００２９】
図３に示すように、ジョイントアダプター１００は、既述のように、ベースシャフト３０５及び中間シャフト４０１の間に設置されて、両者を接続（連結）するためのものである。また、ジョイントアダプター１００は、円筒管をプレス加工して形成したものである。当該ジョイントアダプター１００は径の大きな径大部（第２の嵌合部に相当）１０２と径大部１０２に連続して形成されかつそれよりも径の小さな径小部１０４とに分けられる。
【００３０】
径大部１０２は、ジョイントアダプター１００におけるほぼ２／３の長さ寸法を占める中空の円筒形状をしている。また、径小部１０４は、残りのほぼ１／３の長さ寸法を占めている。
【００３１】
径大部１０２は、中空の円筒形状をしている。これに対し、径小部１０４は、径大部１０２に連続しかつ切頭円錐形状をした切頭円錐部１０４ａと、切頭円錐部１０４ａに連続する筒状部１０４ｂ（第１の嵌合部に相当）とからなる漏斗形状をしたものである。切頭円錐形部１０４ａは、径大部１０２と、径小部１０４の筒状部１０４ｂとの間に位置し、かつ両者を接続する接続部として機能する。
【００３２】
したがって、ジョイントアダプター１００は、その全体形状として両端が開口されかつ牛乳瓶等の飲用瓶を倒立させた如き形状をしている。そして、径大部１０２は、ジョイントアダプター１００をベースシャフト３０５に取り付けた時に上方を向く上部開口１００ａを有し（図３参照）、径小部１０４は、下方を向く下部開口１００ｂを有する（図３参照）。なお、径大部１０２は、その内面軸方向においてテーパ１０３がつくようにプレス加工されている。
【００３３】
また、径小部１０４の筒状部１０４ｂの外径は、ベースシャフト３０５の上部開口１００ａの内径よりも幾分小さく形成されている。つまり、ベースシャフト３０５の上部開口３０１ａに筒状部１０４ｂを内嵌したときに（図７参照）、ベースシャフト３０５の上部開口１００ａにジョイントアダプター１００の筒状部１０４ｂが丁度締まるように、それらの形状及び寸法が定められている。換言すれば、この実施例では、交換作業前の段階で、ベースシャフト３０５に嵌まっていた、例えば第１の従来例に係るオートリターンシャフト３０６の外径とほぼ同じ大きさになるように、ベースシャフト３０５の上部開口１００ａの内径が定められている（図６、７参照）。
【００３４】
このような径小部１０４は、径大部１０２から連続しかつ切頭円錐状になるようにプレス加工される。当該プレス加工を施すことにより、縦断面で見て斜めに加工された切頭円錐部１０４ａと、当該切頭円錐部１０４ａに連続して形成され、かつ前記ベースシャフト３０５の前記円筒形部材３０１に内嵌される、径小部１０４の切頭円錐部１０４ａよりも小径な円筒形状をした筒状部１０４ｂとを有するといえる。
【００３５】
前記切頭円錐部１０４ａは、その径が、いずれの箇所においてもベースシャフト３０５の上部開口１００ａの内径よりも大きくなるようにプレス加工されている。よって、切頭円錐部３０１ａによって、下方に向けられたジョイントアダプター１００のそれ以上の進行が阻止される。
【００３６】
また、筒状部１０４ｂは、その外周面全体にテーパ１０８がプレス加工によってつけられている（図３参照）。さらに、ベースシャフト３０５の円筒形部材３０１の内周面にもテーパ３０８が付けられている（図６、図７参照）。テーパ１０８を径小部１０４の筒状部１０４ｂにつけ、テーパ３０８をベースシャフト３０５の円筒形部材３０１につけることにより、筒状部１０４ｂの前記ベースシャフト３０５に対しての脱着が容易になる。
【００３７】
そして、ジョイントアダプター１００をベースシャフト３０５に組み付けた状態において（図７参照）、ジョイントアダプター１００の上部開口１００ａ（図７参照）に中間シャフト４０１と、座部固定用シャフト４０４とが一体化されてなる支持シャフト４０６が内嵌される（図８参照）。そのために、ジョイントアダプター１００の上部開口１００ａの内径よりも中間シャフト４０１の外径の方が若干小さく形成されている。
【００３８】
一方、図３に示すように、径大部１０２にあっては、既述のように、その内面にテーパ１０３がプレス加工によってつけられている。つまり、ジョイントアダプター１００の上部開口１００ａから、径小部１０４側に向けて、漸次、径大部１０２の肉厚が厚くなるようにテーパ１０３がプレス加工によってつけられている。これに対し、径大部１０２の内面軸方向につけられたテーパ１０３に合致するテーパが中間シャフト４０１の外周面につけられている（図示せず）。よって、当該テーパを介しての中間シャフト４０１を含む支持シャフト４０６のジョイントアダプター１００に対する脱着が容易になる。
【００３９】
次に図６〜図８を参照して、このような構成のジョイントアダプター１００を用いて本発明に係るスタンド式の椅子の取り替え方法を述べる。なお、当該取り替えにあたっては、例えば、経年劣化等により取り替えを要することになったため、取り替えの対象として第１の従来例に係るスタンド式の椅子から座部を省略したもの３００を示す。なお、当該取り替えにあたって説明上不要な座部等は省略してある。
【００４０】
図６（ａ）は、交換前のスタンド式椅子から座部を省略して示す一例３００を示す。そして、図６（ａ）の状態からベースシャフト３０５以外の部材を抜き取る（図６（ｂ）参照）。また、図６（ｂ）の状態からベースシャフト３０５のみになった状態を示すのが図７（ａ）である。当該状態のベースシャフト３０５にジョイントアダプター１００のみを取り付ける（図７（ｂ）及び図７（ｃ）参照）。当該取り付けにあたり、ジョイントアダプター１００の径小部１０４の側を下向きにする（図７（ｂ）参照）。当該下向きの状態で、ベースシャフト３０５の上部開口３０１ａに径小部１０４の筒状部１０４ｂを内嵌する（図７（ｃ）参照）。
【００４１】
次に、新品の又は、使用済みであるがまだ使用可能な、第２の従来例に係るスタンド式の椅子３００Ａの中間シャフト４０１及び座部固定用シャフト４０４を組み合わせて一体化した支持シャフト４０６を、中間シャフト４０１の側を下方にして、ジョイントアダプター１００の上部開口１００ａに内嵌する（図８（ａ）、（ｂ）参照）。その後、図示しない、ガス圧シリンダーが取り付けられた座部を、座部固定用シャフト４０４に取り付けることで、スタンド式の椅子１が組み付けられる（図１参照）。
【００４２】
反対にこのようにして組み付けられたスタンド式の椅子１を取り外す場合は、上記組み立ての場合の逆の手順をふむ。つまり、図示を省略した座部を座部固定用シャフト４０４から取り外し、次に座部のついていない座部固定用シャフト４０４と、中間シャフト４０１とを組み合わせて一体化した支持シャフト４０６をジョイントアダプター１００から抜き取る（図８（ｂ）、図８（ａ）参照）。そして、最後にジョイントアダプター１００をベースシャフト３０５から引き抜き、ベースシャフト３０５のみにする（図７（ｃ）、図８（ｂ）、図８（ａ）参照）。
【００４３】
次に作用効果について述べる。
スタンド式の椅子１にあっては、経年劣化等の損傷やガス漏れ等に起因する故障によって、新しい部品や使用済みであるがまだ使用できる部品への交換をすることや、第１の従来例に係るスタンド式の椅子３００を第２の従来例に係るスタンド式の椅子３００Ａに変更すること（以下、新品部品等の交換）を余儀なくされる場合がある。その場合において、ジョイントアダプター１００を介在させることにより、既存のベースシャフト３０５を
残存させたまま、ジョイントアダプター１００よりも上位に位置する部品であって、ベースシャフト３０５にこれまで使用されていた部品とは異なるシャフト径の新品部品等への交換が可能になる。
【００４４】
また、スタンド式の椅子の交換作業を施行する上でアンカーボルトの取り外し作業や取り付け作業をせずともシャフト径の異なるスタンド式の椅子の交換作業を行える。
【００４５】
なお、既存のベースシャフト３０５を残存させたまま、交換する部品を新品部品等にすることは、従来の技術でも可能であった。しかしながら、第１の従来例に係るスタンド式の椅子３００を第２の従来例に係るスタンド式の椅子３００Ａに変更する場合のように、未だ使用が可能な異種類の部品からなる椅子の部品をベースシャフト３０５に組み付けることは、何らかの手当をしなければ不可能である。例えば、ベースシャフト３０５の開口部の内径に収まらない外径を有するシャフト４０１の椅子を組み合わせる場合である。そこで、本発明では、径を異にする径大部及び径小部１０４を有するジョイントアダプター１００を利用することにより、部品の共通化を図ることを可能にし、もって異種類の椅子の構成部品を組み合わせることができるようにした。
【００４６】
また、第１の従来例に係るスタンド式の椅子３００を第２の従来例に係るスタンド式の椅子３００Ａに変更する場合のように、異種類の椅子間で新品部品等の交換をする場合、ジョイントアダプター１００を利用することで、ベースシャフト３０５の交換が、不要になる。よって、スタンド式の椅子の交換作業を施行する上でアンカーボルトの取り外し作業や取り付け作業をせずともスタンド式の椅子の交換作業を行える。そして、当該ベースシャフト３０５の交換が不要になるので、それだけ手間を省くことができる。
【００４７】
さらに、ベースシャフト３０５を残存させたままであるので、アンカーボルト３０４の取り外し作業に伴うスタンド式の椅子の設置面が損傷しにくくなる。このように、まだ使用できるものを再利用することが可能であるので無駄がなく経済的である。
【００４８】
なお、嵌合部としてのジョイントアダプター１００は、中間シャフト４０１及び座部固定用シャフト４０４を組み合わせて一体化した支持シャフト４０６と、ベースシャフト３０５とを着脱自在に連結するためのものであるため、連結具ということもできる。また、ジョイントアダプター１００は、その筒状部１０４ｂの外周面にテーパがついており、テーパ３０８をベースシャフト３０５の円筒形部材３０１の内周面につけることにより、筒状部１０４ｂの前記ベースシャフト３０５に対しての脱着が容易になる。
【００４９】
そして、ジョイントアダプター１００は、その径大部１０２にあっては、その内面にテーパ１０３がつけられ（図３参照）、このテーパ１０３に合致する別のテーパが中間シャフト４０１の外周面につけられている（図示せず）。よって、これらのテーパを介しての中間シャフト４０１を含む支持シャフト４０６のジョイントアダプター１００に対する脱着が容易になる。
【００５０】
また切頭円錐形部１０４ａは、下方にゆく程径小な切頭円錐形状をしているので、ベースシャフト３０５における円筒形部材３０１の上部開口３００ａに対してこれを脱着し易い。換言すれば、ジョイントアダプター１００をベースシャフト３０５に対して、締めれば締めるほど締着力は強まり、緩めれば緩めるほど締着力は弱まる。このため、ベースシャフト３０５に対するジョイントアダプター１００の脱着が容易かつ確実に実行できる。
【００５１】
さらに、プレス加工を行う上で引っ張り応力を利用することで、ジョイントアダプター１００を成型することも考えられる。
そして、本実施例では、下位にある部材がその上位にある部材を外嵌する場合を示した
。しかしながら、これに限定されるものではなく、逆に、上位の部材がその下位の部材を外嵌する場合にも適用できる。具体的には、支持シャフト４０６の中間シャフト４０１がその下位の部材であるジョイントアダプター１００を外嵌し、ジョイントアダプター１００が、その下位の部材であるベースシャフト３０５の円筒形部材３０１を外嵌するようにしてもよい。
【００５２】
さらにまた、本実施例では、ジョイントアダプター１００に関し、円筒管をプレス加工して径大部１０２及び径小部１０４とを有するものを開示したが、ジョイントアダプター１００の外周面の全てを表面加工したものでもよい。
【００５３】
加えて、本実施例では、ジョイントアダプター１００をベースシャフト３０５に組み付けた際に、ジョイントアダプター１００の径大部１０２が径小部１０４との位置関係で、上位に位置し、径小部１０４がその下位に位置するものを示した。しかしながら、径大部１０２が、径小部１０４との位置関係で、下位に位置し、径小部１０４がその上位に位置するように、既述したジョイントアダプター１００におけるものと逆位置にあるようにしてもよい。その場合、径大部１０２の外径がベースシャフト３０５の外径よりも大きくなり、径小部１０４の外径が中間シャフト４０１の外径よりも小さくなる。
【符号の説明】
【００５４】
１ 椅子
１１ 座部
１００ ジョイントアダプター（嵌合部、連結具）
１００ａ 上部開口
１００ｂ 下部開口
１０２ 径大部（第２の嵌合部）
１０３ テーパ
１０４ 径小部
１０４ａ 切頭円錐部（接続部）
１０４ｂ  筒状部（第１の嵌合部）
１０８ テーパ
３００ 第１の従来例であって、スタンド式椅子から座部を省略して示す一例
３００Ａ 第２の従来例であって、スタンド式椅子から座部を省略して示す一例
３０１ 円筒形部材
３０１Ａ  円筒形部材
３０１ａ 円筒形部材の上部開口
３０２ 張り出しフランジ
３０３ アンカーボルト
３０５ ベースシャフト
３０５Ａ ベースシャフト
３０６ オートリターンシャフト
３０７ 座部固定用シャフト
３０８ ベースシャフトに付けられたテーパ
３０９ 第１の従来例の三段式の台座
３０９Ａ 第２の従来例の三段式の台座
４０１ 中間シャフト
４０４ 座部固定用シャフト
４０６ 支持シャフト
【図１】
2013099460.tif 000003
【図２】
2013099460.tif 000004
【図３】
2013099460.tif 000005
【図４】
2013099460.tif 000006
【図５】
2013099460.tif 000007
【図６】
2013099460.tif 000008
【図７】
2013099460.tif 000009
【図８】
2013099460.tif 000010
【図９】
2013099460.tif 000011